(57)【要約】【課題】アルミ製のドアパネルを用いて防火の役目を果たすことができるようにしたオーバードアとする。【解決手段】複数のドアパネル１をヒンジ２で屈曲自在に連結してドア３とし、このドア３を開口部６の左右縦縁に取付けたガイドレール４に沿って昇降自在とし、前記ドアパネル１をアルミ製のパネル本体３０と、このパネル本体３０の背面に固着具で固着して取付けたアルミ製の放熱部材４０を有するものとし、そのパネル本体３０が正面から加熱された時に、その熱を放熱部材４０から放熱して温度上昇を抑制することで、パネル本体３０が溶融するまでの時間を長くして防火の役目を果たすことができるようにする。【選択図】図２
2008261177.tif 000002
【特許請求の範囲】
【請求項１】
複数のドアパネル１をヒンジ２で屈曲自在に連結したドア３を、建物外壁５の屋内側面５ａにおける開口部６の左右縦縁に取付けたガイドレール４に沿って、閉じ状態と開き状態に亘って昇降自在に取付け、
前記ドアパネル１を、アルミ製のパネル本体３０と、このパネル本体３０の背面に取付けた金属製の放熱部材４０を有するものとしたことを特徴とするオーバードア。
【請求項２】
建物外壁５の屋内側面５ａにおける開口部６の左右縦縁と上横縁に沿って左右の縦加熱膨張材１３と横加熱膨張材１４を、ドア３の屋外側面と対向して取付けした請求項１記載のオーバードア。
【請求項３】
最上部のドアパネル１のパネル本体３０の上部と、建物外壁５の屋内側面５ａとに亘って、ドア３が閉じ状態において当該パネル本体３０が屋外側及び下方に移動することを規制する開き防止部材２０を取付けた請求項１又は２記載のオーバードア。
【請求項４】
正面板３１と背面板３２が複数の連結片３３で連結されて複数の中空部３４を有するアルミ押出形材のパネル本体３０と、
このパネル本体３０の背面板３２に固着具で固着して取付けした金属製の放熱部材４０を有していることを特徴とするドアパネル。
【請求項５】
放熱部材４０はアルミ押出形材である請求項４記載のドアパネル。
【請求項６】
縦板４２ａと上下横板４２ｂを有した断面ほぼコ字形状の第１部材４２と、縦板４３ａと上下横板４３ｂを有した断面ほぼコ字形状の第２部材４３を、その上下横板同士が接するように嵌合して固着具でそれぞれ固着して中空部４０ａを有する放熱部材４０とし、
この放熱部材４０の第１部材４２の縦板４２ａをパネル本体３０の背面板３２に接して固着具で固着した請求項５記載のドアパネル。
【発明の詳細な説明】
【技術分野】
【０００１】
本発明は、倉庫、車庫、工場などの建物の開口部に取付けるオーバードア、及びそのオーバードアのドアパネルに関する。
【背景技術】
【０００２】
特許文献１にオーバードアが開示されている。
このオーバードアは、複数のドアパネルをヒンジで屈曲自在に連結してドアとし、このドアをガイドレールに沿って昇降自在とし、そのドアを下降することで閉状態、上昇することで開状態とするものである。
【０００３】
【特許文献１】特開２０００−３３７００５号公報
【発明の開示】
【発明が解決しようとする課題】
【０００４】
前述したオーバードアにおいては、錆などが発生せずに長期間に亘って見栄えの良い外観が維持できてメンテナンスが不要であること、ドアを手動又は電動モータで昇降するので、そのドア重量が重いと昇降に要する力が大きく、手動で昇降する場合には大きな労力が必要となるし、電動モータで昇降する場合には消費電力が多く維持コストが高いものとなるからドアを軽量とすることから、ドアパネルをアルミ製としたオーバードアが提案されている。
しかし、アルミは鉄などに比べて融点が低く、火災時に短時間で溶融してしまうので防火の役目を果たすことができない。
【０００５】
本発明の目的は、アルミ製のドアパネルを用いて防火の役目を果たすことができるオーバードア及び、そのドアパネルを提供することである。
【課題を解決するための手段】
【０００６】
本発明のオーバードアは、複数のドアパネル１をヒンジ２で屈曲自在に連結したドア３を、建物外壁５の屋内側面５ａにおける開口部６の左右縦縁に取付けたガイドレール４に沿って、閉じ状態と開き状態に亘って昇降自在に取付け、
前記ドアパネル１を、アルミ製のパネル本体３０と、このパネル本体３０の背面に取付けた金属製の放熱部材４０を有するものとしたことを特徴とするオーバードアである。
【０００７】
本発明のオーバードアにおいては、建物外壁５の屋内側面５ａにおける開口部６の左右縦縁と上横縁に沿って左右の縦加熱膨張材１３と横加熱膨張材１４を、ドア３の屋外側面と対向して取付けることができる。
【０００８】
このようにすれば、火災時に縦・横加熱膨張材１３，１４が膨張して建物外壁５の屋内側面５ａとドア３の屋外側面３ａとの隙間を閉塞するので、火災が屋外側から屋内側に入り込むことを防止できる。
【０００９】
本発明のオーバードアにおいては、最上部のドアパネル１のパネル本体３０の上部と、建物外壁５の屋内側面５ａとに亘って、ドア３が閉じ状態において当該パネル本体３０が屋外側及び下方に移動することを規制する開き防止部材２０を取付けることができる。
【００１０】
このようにすれば、火災時に最上部のドアパネル１が加熱されて熱膨張した時に、そのパネル本体３０が屋外側及び下方に向けて湾曲変形することを抑制し、そのドアパネル１と建物外壁５の屋内側面５ａとが大きく離隔することを防止できる。
【００１１】
本発明のドアパネルは、正面板３１と背面板３２が複数の連結片３３で連結されて複数の中空部３４を有するアルミ押出形材のパネル本体３０と、
このパネル本体３０の背面板３２に固着具で固着して取付けした金属製の放熱部材４０を有していることを特徴とするドアパネルである。
【００１２】
本発明のドアパネルにおいては、放熱部材４０をアルミ押出形材とすることができる。
【００１３】
このようにすれば、パネル本体３０と放熱部材４０を別々に押出成形するので、その押出成形が容易である。
【００１４】
本発明のドアパネルにおいては、縦板４２ａと上下横板４２ｂを有した断面ほぼコ字形状の第１部材４２と、縦板４３ａと上下横板４３ｂを有した断面ほぼコ字形状の第２部材４３を、その上下横板同士が接するように嵌合して固着具でそれぞれ固着して中空部４０ａを有する放熱部材４０とし、
この放熱部材４０の第１部材４２の縦板４２ａをパネル本体３０の背面板３２に接して固着具で固着することができる。
【００１５】
このようにすれば、パネル本体３０が正面板３１側から加熱された時に、パネル本体３０の熱が背面板３２から放熱部材４０に効率良く伝熱し、その中空部４０ａを通して外部に放熱されると共に、放熱部材４０の表面からも放熱される。
したがって、放熱部材４０から放熱される熱量が多く、パネル本体３０の温度上昇をより一層抑制することができるので、火災時にパネル本体３０が溶融するまでの時間をより長くすることができる。
【００１６】
また、第１部材４２の縦板４２ａを背面板３２に固着具で固着した後に、第２部材４３を第１部材４２に嵌合して固着することができるので、パネル本体３０に放熱部材４０を簡単に取付けできる。
また、第１部材４２の上下横板４２ｂと第２部材４３の上下横板４３ｂが接して中空形状としてあるので、その放熱部材４０の断面二次モーメントが大きく、ドアパネル１が熱膨張により湾曲変形することを低減できる。
また、パネル本体３０と第１部材４２と第２部材４３を別々に押出成形できるから、その押出成形が容易である。
【発明の効果】
【００１７】
本発明のオーバードアによれば、ドアパネル１をアルミ製として軽量にできる。また、そのドアパネル１のパネル本体３０が加熱された時に、その熱を放熱部材４０で放熱してパネル本体３０の温度上昇を抑制するから、加熱されてから溶融するまでの時間を長くできる。
したがって、アルミ製のドアパネルを用いて防火の役目を果たすことができる。
【００１８】
本発明のドアパネルによれば、パネル本体３０が加熱された時に、その熱を放熱部材４０で放熱してパネル本体３０の温度上昇を抑制できる。
【発明を実施するための最良の形態】
【００１９】
図１〜図３に示すように、複数のドアパネル１をヒンジ２で屈曲自在に連結したドア３を、ガイドレール４に沿って昇降自在に設けてオーバードアとしてある。
前記ドアレール４は、建物外壁５の屋内側面５ａにおける開口部６の左右縦縁に沿って取付けてある。このガイドレール４は縦向部４ａと横向部４ｂでほぼ鉤形状で、前記各ドアパネル１にそれぞれ取付けたローラ７が回動自在に接する。
そして、各ローラ７がガイドレール４の縦向部４ａに接している時にはドア３が縦向きで前記開口部６を閉じる閉じ状態である。
前記各ローラ７がガイドレール４の横向部４ｂに接している時にはドア３は横向きで前記開口部６を開放する開き状態である。
前記最上部、最下部のドアパネル１にはローラ７が取付けてあると共に、それ以外のドアパネル１では、ローラ７がヒンジ２に取付けてあるが、そのローラ７はヒンジ２と別に取付けても良い。
前記ドア３の最下部のドアパネル１の下端部に水密材（ウエザーストリップ）８が取付けてあり、ドア３を閉じた時に水密材８が床などの開口部底面６ａに接する。
【００２０】
この実施の形態では、ガイドレール４はジャムアングル９で建物外壁５の屋内側面５ａに取付けてある。
前記最上部のドアパネル１にはトロリーアーム１０が連結され、このトロリーアーム１０はトロリーレール１１に沿って電動機１２によって移動される。
【００２１】
前記建物外壁５の屋内側面５ａにおける開口部６の左右の縦縁に沿って左右の縦加熱膨張材１３が図３に示すようにドアパネル１の屋外側面１ａと対向してそれぞれ取付けてある。
前記建物外壁５の屋内側面５ａにおける開口部６の上横縁に沿って横加熱膨張材１４が図２に示すようにドアパネル１の屋外側面１ａと対向して取付けてある。
この縦・横加熱膨張材１３，１４は複数の加熱膨張シートを重ね合わせたもので、縦加熱膨張材１３は前記ジャムアングル９に取付けてあると共に、横加熱膨張材１４はステンレスプレート１４ａに介して取付けてある。
【００２２】
このようであるから、火災等によってドア３の屋外側から加熱されると、前記縦・横加熱膨張材１３，１４が膨張してドア３の屋外側面（ドアパネル１の屋外側面１ａ）と建物外壁５の屋内側面５ａにおける開口部６の縦縁、上横縁との間が縦・横加熱膨張材１３，１４によって閉塞される。
したがって、火災時に火炎がドアの屋外側面と建物外壁５の屋内側面５ａにおける開口部６の縦縁、上横縁との間から屋内側に侵入することを防止できる。
【００２３】
図３に示すように、ドア３の屋外側面と建物外壁５の屋内側面５ａにおける開口部６の左右の縦縁との間は縦気密材１５で気密され、屋外から縦加熱膨張材１３、ローラ７等が見えないようにしてある。
前記縦気密材１５は縦片１５ａに装着され、その縦片１５ａをジャムアングル９で押さえるようにして取付けてある。
【００２４】
前記ドア３の上部（最上部のドアパネル）と建物外壁５の屋内側面５ａにおける開口部６の上横縁とに亘って開き防止部材２０が取付けてある。
この開き防止部材２０は、ドア３が加熱によって熱膨張して湾曲変形した際にドア３の上部が開口部６の上横縁から大きく離隔することを防止されるものである。
例えば、図２に示すように、最上部のドアパネル１の上部にトップ枠材２１を固着具、例えばブラインドリベット２２で固着して取付ける。
このトップ枠材２１に上部補強金具２３を固着具、例えばブラインドリベット２４で固着して取付ける。
この上部補強金具２３は最上部のドアパネル１の長手方向全長に亘って取付けてあると共に、下向き鉤部２３ａを有している。
前記建物外壁５の屋内側面５ａに開き止め金具２５を固着具で固着して取付け、その上向き鉤部２５ａに前記下向き鉤部２３ａを係合する。
【００２５】
このようであるから、ドア３（最上部のドアパネル１）が加熱によって熱膨張し、下向き弓形状及び屋外側に向けて円弧形状に湾曲変形すると、その下向き鉤部２３ａが上向き鉤部２５ａに接し、その湾曲変形を規制してドア３の上部が開口部６の上横縁から大きく離隔することを防止する。
【００２６】
前記最下部のドアパネル１の下端部にはボトム枠材１６が固着具、例えばブラインドリベット１７で固着して取付けてあり、このボトム枠材１６に前記水密材８が装着してある。
【００２７】
前記ドアパネル１はアルミ製のパネル本体３０と、そのパネル本体３０の背面に設けた金属製、例えばアルミ製の放熱部材４０を備え、そのパネル本体３０が屋外側に向かうと共に、放熱部材４０が屋内側に向かうように取付けられる。
このようであるから、パネル本体１０の正面側から加熱（例えば、火災時に火炎で加熱）された時に、その熱の一部が放熱部材４０から背面側に放熱され、パネル本体３０の温度が急激に上昇することを抑え、そのパネル本体３０が溶融する温度まで上昇する時間が長くなる。
例えば、火災時温度８５０℃で２０分間溶融せずに火炎が屋内側に噴出しないようにできる。
したがって、アルミ製のドアパネルを用いたオーバードアで防火の役目を果たすことができる。
【００２８】
前述の実施の形態では、ドア３の最上部のドアパネル１はパネル本体３０のみである。
これは、最上部のドアパネル１は、その上面が放熱面となるために、放熱部材４０がなくとも十分な放熱ができ、溶融する温度まで上昇する時間が長くなるためである。
なお、最上部のドアパネル１を放熱部材４０を有したものとしても良い。
要するに、ドア３の複数のドアパネル１における最上部、最下部のドアパネル以外は、上のドアパネル１の下部と下のドアパネル１の上部が接してドアパネル１の上面、下面が放熱面とならないので、放熱部材４０を設けて十分な放熱ができるようにしてある。
また、最下部のドアパネル１は、下面に装着した水密材８が放熱の妨げとなるので、放熱部材４０を有したものとしてある。
【００２９】
また、放熱部材４０によってパネル本体３０が補強されてドアパネル１としての断面二次モーメントが大きいので、そのドアパネル１が熱膨張した時に屋内外側方向及び上下方向の湾曲変形量を小さくできる。
すなわち、ドアパネル１が屋外側から加熱されて熱膨張すると、ドアパネル１は屋外側に向けて円弧形状に湾曲変形し、その湾曲変形量が大きいとドアパネル１の長手方向両端部が開口部６の左右縦縁が外れることがあるので、前述のように放熱部材４０でドアパネル１全体の断面二次モーメントを大きくし、前述の円弧形状の湾曲変形量を小さくしてドアパネル１の長手方向両端部が開口部６の左右縦縁から外れないようにする。
例えば、放熱部材４０の断面二次モーメントをパネル本体３０の断面二次モーメントの２．５倍以上を確保することが好ましい。
【００３０】
次に、ドアパネル１の詳細を説明する。
前記パネル本体３０は、屋内外側方向の寸法（厚さＴ）が小さく、上下方向の寸法（幅Ｈ）が大きい縦長で中空部を有する断面形状の長尺材である。
例えば、正面板３１と背面板３２と複数の連結片３３で複数の中空部３４を有する長尺材で、アルミ（アルミ合金）を素材とした押出形材を所定の長さに切断したものである。
【００３１】
前記パネル本体３０の上部には上向き凹部３５が形成され、下部には突部３６が形成され、この突部３６と凹部３５が相互に嵌まり合うようにしてある。
例えば、正面板３１、背面板３２の上部が最上部の連結片３３よりも上方に突出して上向き凹部３５を形成し、正面板３１、背面板３２の下部が最下部の連結片３３よりも下方に突出して突部３６としてある。
【００３２】
このようであるから、ドア３が閉じ状態の時に、上下に隣接したドアパネル１の上向き凹部３５と突部３６が嵌まり合うことで、上下に隣接したドアパネル１が強固に連結される。
【００３３】
前記放熱部材４０は中空部材４０ａを有すると共に、平坦な取付面４０ｂを備えた長尺材で、パネル本体３０の背面板３２（背面）に固着具、例えばブラインドリベット４１で固着して取付けられる。この放熱部材４０はアルミ（アルミ合金）を素材とした押出形材を所定の長さに切断したものである。
この放熱部材４０の取付面４０ｂがパネル本体３０の背面板３２に接し、放熱部材４０とパネル本体３０の接触面積が多く、パネル本体３０から放熱部材４０に熱が伝わり易くしてある。
【００３４】
前記放熱部材４０は、コ字形状の第１部材４２とコ字形状の第２部材４３を備え、この第１・第２部材４２，４３はアルミ（アルミ合金）を素材とした押出形材である。
前記第１部材４２は縦板４２ａと上下横板４２ｂでコ字形状で、その縦板４２ａが固着具で背面板３２に固着して取付けられる。
前記第２部材４３は縦板４３ａと上下横板４３ｂでコ字形状で、その上下横板４３ｂを第１部材４２の上下横板４２ｂに接して固着具、例えばブラインドリベット４４で固着されて矩形中空形状の放熱部材４０としてある。
【００３５】
このようであるから、第１部材４２をパネル本体３０の背面板３２に固着した後に、その第１部材４２に第２部材４３を嵌合して固着することで放熱部材４０をパネル本体３０に取付けできるので、その取付けが容易である。
また、パネル本体３０と第１部材４２、第２部材４３がそれぞれ別体であるから、それぞれを別々に押出成形でき、その押出成形が容易である。
しかも、コ字形状の第１部材４２とコ字形状の第２部材４３を嵌合して固着して矩形中空形状としたので、その放熱部材４０の断熱二次モーメントを大きくできる。
【００３６】
前記パネル本体３０の中空部３４、放熱部材４０の中空部４０ａは、長手方向両端部にそれぞれ開放し、その中空部３４，４０ａ内に空気がスムーズに流通するようにしてある。
これによって、ドアパネル１が加熱された時に、中空部３４，４０ａ内の空気が温められて外部に流出するから、ドアパネル１の温度上昇をより一層抑制できる。
【００３７】
前記第１部材４２と第２部材４３は相互に係合して仮取付けできるようにしても良い。
例えば、図５に示すように各上下横板４２ｂ，４３ｂの先端部に係合部４５をそれぞれ設け、第１部材４２の上下横板４２ｂの基部に係合受部４６を形成し、第２部材４３の縦板４３ａに係合受部４７を設ける。
そして、第２部材４３を第１部材４２に押し込むようにして嵌合することで、各係合部４５が各係合受部４６，４７に係合するようにする。
【００３８】
前記放熱部材４０の断面形状は、前述の矩形状に限ることはなく、図６（ａ）〜（ｋ）に示すように任意の断面形状とすることができる。また、放熱部材４０は鉄、ステンレスなどのアルミ以外の金属とすることもできる。
【００３９】
図２に示すように、最上部のドアパネル１は、その正面板３１、背面板３２の上端部が切断して除去され、トップ枠材２１を正面板３１と背面板３２に亘って嵌合して取付け、固着具で固着して取付けてある。
最下部のドアパネル１の正面板３１、背面板３２の下端部に亘ってボトム枠材１６が嵌合して取付けられ、固着具で固着して取付けてある。
【図面の簡単な説明】
【００４０】
【図１】本発明の実施の形態を示すオーバードアの屋内側正面図である。
【図２】図１のＡ−Ａ断面図である。
【図３】図１のＢ−Ｂ断面図である。
【図４】ドアパネルの拡大断面図である。
【図５】放熱部材の他の実施の形態を示す断面図である。
【図６】ドアパネルの放熱部材の異なる実施の形態を示す断面図である。
【符号の説明】
【００４１】
１…ドアパネル、２…ヒンジ、３…ドア、４…ガイドレール、５…建物外壁、５ａ…屋内側面、６…開口部、７…ローラ、１３…縦加熱膨張材、１４…横加熱膨張材、２０…開き防止部材、２１…トップ枠材、２３…上部補強金具、２５…開き止め金具、３０…パネル本体、３１…正面板、３２…背面板、３３…連結片、３４…中空部、３５…上向き凹部、３６…突部、４０…放熱部材、４０ａ…中空部、４２…第１部材、４３…第２部材。
【図１】
2008261177.tif 000003
【図２】
2008261177.tif 000004
【図３】
2008261177.tif 000005
【図４】
2008261177.tif 000006
【図５】
2008261177.tif 000007
【図６】
2008261177.tif 000008